(57)【要約】【課題】測定中に発生するノイズを除去するとともに、精度の高い測定結果を得ることが可能な放射線測定装置を提供する。【解決手段】放射線測定装置１において、ノイズ検出部２０は、放射線検出器１０に許容レベルを超えるノイズが発生したか否かを検出する。制御部２は、予め設定された放射線の測定時間を複数のタイムスロットに区分したとき、許容レベルを超えるノイズが発生したタイムスロットを無効とし、無効としたタイムスロットの数に応じて放射線の測定時間を延長する。制御部２は、延長後の測定時間のうち、無効としたタイムスロットを少なくとも除いた時間に検出された放射線のデータに基づいて放射線量を算出する。【選択図】図２
2013246073.tif 000002
【特許請求の範囲】
【請求項１】
放射線を検出する放射線検出器と、
前記放射線検出器に許容レベルを超えるノイズが発生したか否かを検出するノイズ検出部と、
予め設定された放射線の測定時間を複数のタイムスロットに区分したとき、許容レベルを超えるノイズが発生したタイムスロットを無効とし、無効としたタイムスロットの数に応じて放射線の測定時間を延長する制御部とを備え、
前記制御部は、延長後の測定時間のうち、無効としたタイムスロットを少なくとも除いた時間に検出された放射線のデータに基づいて放射線量を算出する、放射線測定装置。
【請求項２】
前記制御部は、無効なタイムスロットと同数のタイムスロット分だけ放射線の測定時間を延長する、請求項１に記載の放射線測定装置。
【請求項３】
前記制御部は、放射線の測定時間をそれぞれ複数のタイムスロットから構成される複数の区間に区分し、
前記制御部は、無効なタイムスロットを含む区間を無効とし、無効とした区間と同数の区間分だけ放射線の測定時間を延長し、
前記制御部は、延長後の測定時間のうち、無効とした区間を除いた時間に検出された放射線のデータに基づいて放射線量を算出する、請求項１に記載の放射線測定装置。
【請求項４】
前記制御部は、無効なタイムスロットの数が閾値を超えた場合に放射線の測定時間を延長する、請求項１に記載の放射線測定装置。
【請求項５】
前記放射線検出器は、
放射線を検出したときにパルスを出力する放射線センサと、
前記放射線センサから出力されたパルスの数をカウントするカウンタとを含み、
前記ノイズ検出部は、各タイムスロットにおいて閾値を超えるパルス数が前記カウンタによってカウントされた否かを判定することによって、前記放射線検出器に許容レベルを超えるノイズが発生したか否かを検出する、請求項１〜４のいずれか１項に記載の放射線測定装置。
【請求項６】
前記ノイズ検出部は、前記放射線検出器に与えられる振動を検出する振動センサおよび前記放射線検出器に与えられる外来電磁波を検出する電磁波センサの少なくとも一方を含む、請求項１〜４のいずれか１項に記載の放射線測定装置。
【発明の詳細な説明】
【技術分野】
【０００１】
この発明は放射線測定装置に関する。
【背景技術】
【０００２】
放射線測定装置、特に個人線量計に用いられるフォトダイオード式の測定装置では、外来電波や強い振動衝撃が起因で放射線量の誤計数が発生する。これらの外来電波や振動衝撃による誤計数を低減することで、信頼性の高い測定を行うことが求められている。
【０００３】
たとえば、特開２００７−２８５９１４号公報（特許文献１）に記載された放射線測定装置では、放射線を検出する放射線センサ、電磁的ノイズを検出する電磁波センサ、衝撃によるノイズを検出する衝撃センサが設けられる。そして、この放射線測定装置では、電磁波センサと衝撃センサの少なくともどちらか一方によってノイズが認められた場合は、ノイズが認められた期間に放射線センサから出力された信号を無効扱いとすることで、ノイズが除去される。
【０００４】
市販製品においては、強い衝撃が加わったなどで急激な線量変化を検出したときには、使用者へ再測定を促すものが知られている（たとえば、エステー製  エアカウンター）。
【０００５】
特開２００１−５１０６２号公報（特許文献２）に記載された放射線測定装置は、放射線信号がベースラインの一方極性側に生じるのに対して、ノイズ信号がベースラインの両極性側に生じることを利用してノイズを低減する。
【先行技術文献】
【特許文献】
【０００６】
【特許文献１】特開２００７−２８５９１４号公報
【特許文献２】特開２００１−５１０６２号公報
【発明の概要】
【発明が解決しようとする課題】
【０００７】
放射線測定装置、特に個人線量計に用いられるフォトダイオード式の測定装置で、信頼性の高い測定を行うためには、統計誤差を低減させるために一定時間継続した測定を行う必要がある。しかし、測定中に許容レベルを超えたノイズが多く発生した場合、上記の特開２００７−２８５９１４号公報（特許文献１）に記載された従来技術では、測定期間中に除去される期間が多くなってしまう。その結果、十分な測定時間を確保することができず、測定中に発生したノイズは除去したものの測定精度が低いものとなってしまう。
【０００８】
この発明の目的は、測定中に発生するノイズを除去するとともに、精度の高い測定結果を得ることが可能な放射線測定装置を提供することである。
【課題を解決するための手段】
【０００９】
この発明は一局面において放射線測定装置であって、放射線を検出する放射線検出器と、ノイズ検出部と、制御部とを備える。ノイズ検出部は、放射線検出器に許容レベルを超えるノイズが発生したか否かを検出する。制御部は、予め設定された放射線の測定時間を複数のタイムスロットに区分したとき、許容レベルを超えるノイズが発生したタイムスロットを無効とし、無効としたタイムスロットの数に応じて放射線の測定時間を延長する。制御部は、延長後の測定時間のうち、無効としたタイムスロットを少なくとも除いた時間に検出された放射線のデータに基づいて放射線量を算出する。
【００１０】
好ましい一実施の形態において、制御部は、無効なタイムスロットと同数のタイムスロット分だけ放射線の測定時間を延長する。
【００１１】
好ましい他の実施の形態において、制御部は、放射線の測定時間をそれぞれ複数のタイムスロットから構成される複数の区間に区分する。この場合、制御部は、無効なタイムスロットを含む区間を無効とし、無効とした区間と同数の区間分だけ放射線の測定時間を延長する。制御部は、延長後の測定時間のうち、無効とした区間を除いた時間に検出された放射線のデータに基づいて放射線量を算出する。
【００１２】
好ましいさらに他の実施の形態において、制御部は、無効なタイムスロットの数が閾値を超えた場合に放射線の測定時間を延長する。
【００１３】
好ましくは、放射線検出器は、放射線を検出したときにパルスを出力する放射線センサと、放射線センサから出力されたパルスの数をカウントするカウンタとを含む。ノイズ検出部は、各タイムスロットにおいて閾値を超えるパルス数がカウンタによってカウントされた否かを判定することによって、放射線検出器に許容レベルを超えるノイズが発生したか否かを検出する。
【００１４】
もしくは、ノイズ検出部は、放射線検出器に与えられる振動を検出する振動センサおよび放射線検出器に与えられる外来電磁波を検出する電磁波センサの少なくとも一方を含む。
【発明の効果】
【００１５】
この発明によれば、測定中に発生するノイズを除去するとともに、精度の高い測定結果を得ることができる。
【図面の簡単な説明】
【００１６】
【図１】実施の形態１による放射線測定装置１の構成の一例を示すブロック図である。
【図２】図１の放射線測定装置１において放射線測定に関する部分の詳細な構成例を示すブロック図である。
【図３】放射線測定の具体的手順について説明するための図である。
【図４】図２の放射線測定装置１による放射線測定手順を示すフローチャートである。
【図５】実施の形態１の変形例１による放射線測定手順について説明するための図である。
【図６】実施の形態１の変形例２による放射線測定手順を示すフローチャートである。
【図７】各測定時間に対して求められた放射線量［μＳｖ／ｈ］と統計誤差［％］との関係を表わす図である。
【図８】実施の形態２による放射線測定装置１Ａの構成の一例を示すブロック図である。
【図９】図８の放射線測定装置１Ａにおいて放射線測定に関する部分の詳細な構成例を示すブロック図である。
【図１０】放射線センサ１１からの出力パルス信号が増幅された波形を示す図である。
【発明を実施するための形態】
【００１７】
以下、この発明の実施の形態について図面を参照して詳しく説明する。なお、同一または相当する部分には同一の参照符号を付して、その説明を繰返さない。
【００１８】
＜実施の形態１＞
［放射線測定装置の全体構成］
図１は、実施の形態１による放射線測定装置１の構成の一例を示すブロック図である。図１を参照して、放射線測定装置１は、中央処理装置（ＣＰＵ：Central  Processing  Unit）２、ＲＡＭ（Random  Access  Memory）３、ＲＯＭ（Read  Only  Memory）４、不揮発性メモリ５、表示部７、入力部６、放射線検出器１０、およびノイズ検出部２０などを含む。
【００１９】
ＣＰＵ２は、ＲＯＭ４および不揮発性メモリ５に格納されたプログラムを実行することによって、放射線測定装置１の全体の動作を制御する。ＲＡＭ３およびＲＯＭ４は、ＣＰＵ２の主記憶として用いられる。
【００２０】
不揮発性メモリ５は、たとえば、フラッシュメモリなどのＥＥＰＲＯＭ（Electrically  Erasable  Programmable  Read-Only  Memory）によって構成される。不揮発性メモリに代えてハードディスクを設けてもよい。不揮発性メモリ５は、ＣＰＵ２から出力されるデータを格納する。特にこの実施の形態の場合、不揮発性メモリ５は、放射線検出器１０の出力信号に基づくデータを格納する。
【００２１】
表示部７は、液晶表示パネルなどによって構成され、ＣＰＵ２の指令に基づいて文字情報および画像を表示する。
【００２２】
入力部６は、ユーザが放射線測定装置１に数字および文字などの入力操作を行なうためのハードウェアキーを含む。もしくは、入力部６は、表示部７と一体化されたタッチパネルを含むように構成されていてもよい。この場合、ユーザは入力操作の大部分をタッチパネルを介して行なうので、ハードウェアキーとして、電源キーおよび音量キーなどの少数のキーのみが設けられ、数字および文字用のキーは設けられていなくてもよい。
【００２３】
放射線検出器１０は、放射線を検出する放射線センサを含む。ノイズ検出部２０は、外来電磁波および／または振動・衝撃などに起因して放射線検出器１０に許容レベルを超えるノイズが発生したか否かを検出する。放射線検出器１０およびノイズ検出部２０の詳細な構成例は、図２を参照して説明する。
【００２４】
［放射線検出器およびノイズ検出部の構成例］
図２は、図１の放射線測定装置１において放射線測定に関する部分の詳細な構成例を示すブロック図である。図２を参照して、放射線検出器１０は、放射線センサ１１、信号変換部１２、およびカウンタ１３を含む。
【００２５】
放射線センサ１１は、放射線を検知したときにパルス信号を出力する。たとえば、放射線センサ１１は、逆方向にバイアス電圧が印加されたシリコンＰＩＮフォトダイオードを含む。この場合、放射線が空乏層を通過したときに発生する電子正孔対によって、パルス状の電流信号が生成される。
【００２６】
信号変換部１２は、放射線センサ１１から出力されたパルス信号を増幅する増幅器と、比較器とを含む。放射線センサがＰＩＮフォトダイオードによって構成される場合には、増幅器は電流パルスを電圧パルスに変換して増幅する。比較器は、増幅器の出力電圧を参照電圧と比較し、増幅器の出力電圧が参照電圧以上のときにハイレベルとなり、増幅器の出力電圧が参照電圧未満のときにローレベルとなる信号（すなわち、整形されたパルス信号）を出力する。
【００２７】
カウンタ１３は、信号変換部１２から出力されたパルスの個数をカウントする。単位時間当たりのパルス数が放射線量率（この明細書では、単に放射線量とも記載する）に相当する。
【００２８】
上記の構成の放射線検出器１０は、衝撃、振動および外来電磁波などによって生じるノイズの影響を受けやすいという特徴がある。たとえば、衝撃または振動によって増幅器の浮遊容量が変化するとノイズが発生する。発生したノイズ（疑似パルス）が放射線によるパルスとして誤検出されると放射線の測定結果に誤差を生じる。
【００２９】
このような誤検出を防止するために、放射線測定装置１にはノイズ検出部２０が設けられている。ノイズ検出部２０は、ノイズセンサ２１、信号変換部２２、およびカウンタ２３を含む。
【００３０】
ノイズセンサ２１は、振動センサおよび電磁波センサの少なくとも一方を含む。振動センサは、放射線検出器１０に与えられる振動を検出する。電磁波センサは、放射線検出器１０に到来する外来電磁波を検出する。振動センサおよびノイズセンサの両方が設けられている場合には、信号変換部２２およびカウンタ２３は、振動センサおよびノイズセンサに対してそれぞれ１つずつ設けられる。
【００３１】
信号変換部２２は、ノイズセンサ２１から出力された信号を増幅する増幅器と、比較器とを含む。比較器は、増幅器の出力電圧を参照電圧と比較し、増幅器の出力電圧が参照電圧以上のときにハイレベルとなり、増幅器の出力電圧が参照電圧未満のときにローレベルとなる信号を出力する。したがって、信号変換部２２は、ノイズセンサ２１から出力された信号の大きさが参照電圧に対応した閾値を超えたときパルスを出力する。
【００３２】
カウンタ２３は、信号変換部１２から出力されたパルスの個数をカウントする。したがって、ノイズセンサ２１の出力信号の大きさが参照電圧に対応した閾値を超えたとき、カウンタ２３がカウントアップされる。カウンタ２３がカウントアップされた場合には、振動または外来電磁波によって許容レベルを超えるノイズが放射線検出器１０に発生し、放射線の誤検出が生じていることになる。
【００３３】
［放射線の測定方法について］
ＣＰＵ（制御部）２は、放射線測定プログラムに従って、放射線検出器１０およびノイズ検出部２０の動作を制御するとともにこれらの検出結果に基づいて放射線量率および統計誤差を算出する。
【００３４】
より具体的には、ＣＰＵ２は、放射線測定中に振動衝撃ノイズまたは電磁的ノイズが発生した場合（ノイズが発生したか否かはノイズ検出部２０によって検出される）、それらのノイズが発生した期間の放射線検出データを測定結果から除去する。一方、除去した期間分、測定時間を延長することにより、測定データとして利用できる測定時間が予め定めた時間となるようにする。これにより、ノイズによる誤計数を防ぐとともに、放射線量を算出するのに必要な時間を十分に確保することで、信頼性の高い（統計誤差が十分に低い）放射線測定を実現する。
【００３５】
図３は、放射線測定の具体的手順について説明するための図である。図３を参照して、放射線測定の具体的手順は次のとおりである。
【００３６】
（１）  放射線量の測定を行う測定時間（図の時刻ｔ１から時刻ｔ７まで）を予め定めておく。この測定時間は、信頼性の高い（統計誤差が十分に低い）測定値が得られるために十分な時間である。さらに、測定時間は細かい時間単位に区切られる。この時間単位を「タイムスロット」と呼ぶ（単に「スロット」とも称する）。１スロット（図３の時刻ｔ１から時刻ｔ２まで）は、放射線によるパルスが１個検出される場合と全く検出されない場合のどちらかになる程度の時間間隔に設定されるのが望ましい。図３の場合、時刻ｔ３から時刻ｔ４の間に放射線によるパルスが１個検出されている。
【００３７】
（２）  放射線量は、各スロットで検出された放射線の計数の総和と測定時間により算出される。ただし、ノイズによる誤計数が発生したと判定されたスロット（「無効なスロット」と称する）の計数は、放射線の計数の総和には含めない。図３の場合、時刻ｔ５から時刻ｔ６までの３スロットにおいてノイズが発生したことがノイズ検出部２０によって検出されたため、これらの３スロットは無効なスロットと判定され、放射線量の算出の対象となる時間から除去される。
【００３８】
（３）  この除去したスロット数分の時間を測定時間に追加することで、測定時間を延長する。図３の場合、時刻ｔ７から時刻ｔ８の間に３スロット分が追加されている。このように、放射線の計数の算出に使用できる有効なスロットの総和が、予め定められている測定時間に等しくなるようにすることで、信頼性の高い（統計誤差が十分に低い）測定結果を得ることができる。
【００３９】
再び図２を参照して、ＣＰＵ（制御部）の具体的な機能について説明する。ＣＰＵ（制御部）２は、機能的構成として、判定部３１、データ除去部３２、線量算出部３３、およびシステム制御部３４を含む。これらの機能は、放射線測定のためのプログラムがＣＰＵ２によって実行されることによって実現される。
【００４０】
判定部３１は、タイムスロットごとに許容レベルを超えるノイズが発生したことがノイズ検出部２０によって検出されたか否かを判定する。具体的には、判定部３１は、タイムスロットごとにカウンタ２３の計数値がカウントアップされたか否かを判定する。判定部３１は、判定結果をデータ除去部３２およびシステム制御部３４に通知する。
【００４１】
データ除去部３２は、あるタイムスロットにおいてカウンタ２３のカウントアップ（すなわち、許容レベルを超えるノイズ）が発生したと判定部３１から通知された場合に、当該あるタイムスロットの放射線データを除去する（当該あるタイムスロットは無効となる）。さらに、システム制御部３４は、カウンタ２３のカウントアップ（すなわち、許容レベルを超えるノイズ）が発生したと判定部３１から通知された場合に、無効となったスロットと同数のスロット分だけ放射線の測定時間を延長する。
【００４２】
線量算出部３３は、延長後の測定時間のうち、無効としたタイムスロットを除いた時間に検出された放射線データに基づいて放射線量率および統計誤差を算出する。放射線量率［単位：μＳｖ／ｈ］は、単位時間あたりのパルス数［単位：ｃｐｍ（counts  per  minute）］に換算係数を乗ずることによって算出される。統計誤差（相対誤差）は、有効なタイムスロットで検出されたパルスの総数をＮとしたとき、Ｎの平方根の逆数で与えられる。線量算出部３３は、放射線測定の途中においても、所定時間ごとに放射線の測定開始からその時刻までに得られた放射線データ（無効なタイムスロットは除去される）に基づいて、現時刻における放射線量および統計誤差を算出する。
【００４３】
システム制御部３４は、線量算出部３３によって算出された放射線量および統計誤差を表示部７に表示させる。システム制御部３４は、さらに、放射線測定の開始および終了を制御する。具体的には、システム制御部３４は、入力部６を介して使用者から放射線測定開始の要求を受けたときには、放射線検出器１０に放射線の測定を開始させるとともに、ノイズ検出部２０にノイズの検出を開始させる。システム制御部３４は、使用者によって測定終了の指令が入力部６に入力されるか、延長分を含めた全測定時間が経過するか、もしくは、算出した統計誤差が誤差限界に達した場合には、放射線測定およびノイズの検出を終了する。
【００４４】
［放射線測定の手順］
図４は、図２の放射線測定装置１による放射線測定手順を示すフローチャートである。以下、図２、図４を参照して、放射線測定についてのこれまでの説明を総括する。
【００４５】
放射線測定は、放射線測定を要求する使用者の入力操作によって開始される（ステップＳ１０１でＹＥＳ）。放射線測定開始の要求を受けて、システム制御部３４は、放射線検出器１０に放射線の測定を開始させる（ステップＳ１０２）。
【００４６】
放射線測定と並行して、ノイズ検出部２０は許容レベルを超えるノイズが放射線検出器１０に発生したか否かを検出する。許容レベルを超えるノイズが発生した場合には（ステップＳ１０３でＹＥＳ）、データ除去部３２は、ノイズが発生した無効なタイムスロットに得られた放射線データを除去し（ステップＳ１０４）、システム制御部３４は、無効としたタイムスロット分、放射線の測定時間を延長する（ステップＳ１０５）。
【００４７】
線量算出部３３は、測定開始時点から現時点までに得られた放射線の測定データに基づいて放射線量および統計誤差を算出する（ステップＳ１０６）。システム制御部３４は、算出された放射線量および統計誤差を表示部７に表示させる（ステップＳ１０７）。放射線量および統計誤差の算出（ステップＳ１０６）とその表示（ステップＳ１０７）は、所定の時間間隔をあけて（たとえば、１０秒など一定時間ごとに）行なうようにしてもよい。
【００４８】
使用者によって測定終了の指令が入力部６に入力されるか、延長分を含めた全測定時間が経過するか、もしくは、算出した統計誤差が誤差限界に達した場合には（ステップＳ１０８でＹＥＳ）、システム制御部３４は、放射線検出器１０に放射線測定を終了させるとともにノイズ検出部２０にノイズ検出を停止させる（ステップＳ１０９）。
【００４９】
［効果］
以上のとおり、実施の形態１の放射線測定装置１によれば、許容レベルを超えるノイズが検出された場合に再測定を行なうのではなく、許容レベルを超えるノイズが検出されたタイムスロットにおける放射線の測定データが除去される。このため、ノイズに起因した誤計数を防止することができ、使用者が再測定を促されるなど再測定に伴う手間をなくすことができる。
【００５０】
さらに、ノイズが発生したと検出されたタイムスロットと同数のタイムスロット分、測定時間が延長される。したがって、信頼性の高い（統計誤差が十分に低い）測定を行なうのに必要な時間を確保することができ、信頼性の高い測定結果を得ることができる。
【００５１】
［実施の形態１の変形例１］
上記では、許容レベルを超えるノイズが発生しているタイムスロットの測定データのみが除去されたが、必ずしもこの方法に限る必要はない。
【００５２】
図５は、実施の形態１の変形例１による放射線測定手順について説明するための図である。図２、図５を参照して、変形例１では、放射線の測定時間は、それぞれ複数のタイムスロットからなる複数の区間に区分される。図５の場合には、最初に設定された測定時間は、時刻ｔ１から時刻ｔ４までの１０秒間の第１区間、時刻ｔ４からの時刻ｔ５までの１０秒間の第２区間、時刻ｔ５から時刻ｔ６までの１０秒間の第３区間に区分される。
【００５３】
ノイズ検出部２０によって許容レベルを超えるノイズの発生が検出された場合には、ノイズが発生したタイムスロット（図５の時刻ｔ２から時刻ｔ３まで）に検出されデータは除去される。さらに、システム制御部３４は、ノイズの発生が検出された無効なタイムスロットを含む区間（時刻ｔ１から時刻ｔ４まで）を無効区間とし、この無効区間の時間分、測定時間を延長する。具体的に図５の場合には、時刻ｔ６から時刻ｔ７までの１区間（１０秒）が延長されている。
【００５４】
線量算出部３３は、放射線の測定開始時（時刻ｔ１）から各区間の終了時点までに得られた放射線データに基づいて放射線量（率）および統計誤差を算出し、算出結果が表示部７に表示される。すなわち、表示部７の表示結果は区間ごとに更新される。このとき、無効区間を得られたデータを除く放射線データを利用して放射線量（率）が計算される。ただし、図５の時刻ｔ４のように有効区間が未だ得られていない場合には、無効なスロットを除いた時間に得られたデータを用いて放射線量および統計誤差が算出される。
【００５５】
［実施の形態１の変形例２］
図４、図５で説明した測定手順では無効なタイムスロットと同数のタイムスロット分だけ測定時間を延長したが、必ずしもこの方法に限る必要はない。たとえば、無効なタイムスロット数がある閾値を超えた場合に測定時間を延長するようにしてもよい。
【００５６】
図６は、実施の形態１の変形例２による放射線測定手順を示すフローチャートである。図６のフローチャートは、ステップＳ１０４とステップＳ１０５との間にステップＳ１０５Ａをさらに含む点で図４のフローチャートと異なる。図６の場合、測定データが除去された無効なタイムスロットの数が閾値を超えた場合にのみ（ステップＳ１０５ＡでＹＥＳ）、システム制御部３４は、無効としたタイムスロット分だけ放射線の測定時間を延長する（ステップＳ１０５）。図６のその他の点は図４の場合と同じであるので、同一または相当するステップには同一の参照符号を付して説明を繰り返さない。
【００５７】
図７は、測定時間を固定したときの放射線量［μＳｖ／ｈ］と統計誤差［％］との関係を表わす図である。図７では、図２のカウンタ１３による単位時間当たりの計数（計数率）［ｃｐｍ］を放射線量［μＳｖ／ｈ］に変換するときの換算係数を０．０５とした場合を示している。測定時間は、３０秒、１分、２分、６０分の場合がそれぞれ示されている。
【００５８】
図７に示すように、測定時間を長くすればするほど測定精度をより高く（統計誤差をより小さく）することが可能である。一方、放射線量が比較的高い場合と放射線量が比較的低い場合とを比較すると、放射線量が比較的高い場合には数分程度（一般の線量計の測定時間）で十分な測定精度（十分小さな統計誤差）を得ることができる。これに対して、放射線量が低い場合には数分程度の測定では十分な測定精度（十分小さな統計誤差）を得ることはできない。
【００５９】
図７に示した関係に基づくと、放射線量率（計数率）が比較的低い場合、高い測定精度を得るためには図６のステップＳ１０５Ａの閾値を低く設定する必要がある。一方、放射線量率が比較的高い場合には図６のステップＳ１０５Ａの閾値を高く設定しても測定精度にはあまり影響しないことがわかる。したがって、一定期間ごとに算出される放射線量率に応じてステップＳ１０５Ａの閾値を動的に決定する（放射線量率が高いほど閾値を高くする）のが望ましいと言える。
【００６０】
＜実施の形態２＞
実施の形態１では、放射線検出器１０にノイズが発生したか否かを検出するために、振動センサおよび電磁波センサなどのノイズセンサ２１が設けられていた。実施の形態２の放射線測定装置１Ａでは、特別なノイズセンサ２１を設けずに、放射線検出器１０から出力されたタイムスロットごとのパスル数に基づいてノイズが発生したか否かが判定される。
【００６１】
図８は、実施の形態２による放射線測定装置１Ａの構成の一例を示すブロック図である。図９は、図８の放射線測定装置１Ａにおいて放射線測定に関する部分の詳細な構成例を示すブロック図である。
【００６２】
図８、図９を参照して、放射線測定装置１Ａは、ハードウェアとしてノイズ検出部２０が設けられていない点で図１、図２の放射線測定装置１と異なる。放射線測定装置１Ａでは、ＣＰＵ２自身が放射線検出器１０にノイズが発生した否かを判定する機能（ノイズ判定部４１）を有する。ノイズ判定部４１は、図２のノイズ検出部２０と判定部３１とを合わせたものに対応する。図８、図９のその他の部分は図１、図２の場合と同じであるので、同一または相当する部分には同一の参照符号を付して説明を繰り返さない。
【００６３】
図１０は、放射線センサ１１からの出力パルス信号が増幅された波形を示す図である。図１０（Ａ）の波形は放射線が検出された場合を示し、図１０（Ｂ）の波形は放射線検出器１０でノイズが発生した場合を示す。図１０（Ａ）の示すように、放射線のデータが検出されたタイムスロットでは、１個のパルスが生成される。
【００６４】
図１０（Ｂ）に示すように、電磁的ノイズおよび／または振動衝撃ノイズが発生すると、放射線センサ１１から所定期間（通常、タイムスロットごと）に出力されるパルス信号数は、自然界では起こりえない数が発生することになる。そこで、図９のノイズ判定部４１は、タイムスロットごとのパルス数（カウンタ１３のカウント数）に閾値を設け、パルス数がその閾値を上回った場合には放射線検出器１０には許容レベルを超えるノイズが発生していると判定する。
【００６５】
今回開示された実施の形態はすべての点で例示であって制限的なものでないと考えられるべきである。この発明の範囲は上記した説明ではなくて請求の範囲によって示され、請求の範囲と均等の意味および範囲内でのすべての変更が含まれることが意図される。
【符号の説明】
【００６６】
１  放射線測定装置、２  ＣＰＵ（制御部）、６  入力部、７  表示部、１０  放射線検出器、１１  放射線センサ、１２，２２  信号変換部、１３，２３  カウンタ、２０  ノイズ検出部、２１  ノイズセンサ、３０  線量算出部、３１  判定部、３２  データ除去部、３４  システム制御部、４１  ノイズ判定部。
【図１】
2013246073.tif 000003
【図２】
2013246073.tif 000004
【図３】
2013246073.tif 000005
【図４】
2013246073.tif 000006
【図５】
2013246073.tif 000007
【図６】
2013246073.tif 000008
【図７】
2013246073.tif 000009
【図８】
2013246073.tif 000010
【図９】
2013246073.tif 000011
【図１０】
2013246073.tif 000012